(57)【特許請求の範囲】
【請求項１】
遠距離の外部の少なくとも１つのシンクロナイザによって送信された同期化信号を受信するように１つ以上のアドバタイザ（Ａｄｖｅｒｔｉｓｅｒ）を制御するステップと、
前記同期化信号によって予め設定された時間区間である広告ウィンドウ内において広告パケットを送信するために、前記アドバタイザが前記同期化信号によって、前記広告ウィンドウ内の任意の時点を前記広告パケットの送信時間に設定する概略的な同期化（ｃｏａｒｓｅ  ｓｙｎｃｈｒｏｎｉｚａｔｉｏｎ）を行うステップと、
前記設定された送信時間に前記広告パケットを１つ以上のユーザ端末に送信するように前記アドバタイザを制御するステップと、を有し、
前記広告ウィンドウは、前記アドバタイザが前記広告パケットを送信することができる予め設定された時間区間に対応することを特徴とする位置情報サービス提供方法。
【請求項２】
前記広告パケット及び他の広告パケットがそれぞれ送信される予め設定された時間間隔の少なくとも１つの広告ウィンドウ内の予め設定された時間間隔後及び前記アドバタイザによる前記他の広告パケットの送信前に、前記予め設定された時間区間内において、前記アドバタイザによって送信されると予想される前記他の広告パケットの他の送信時間を設定する他の概略的な同期を行うように前記アドバタイザを制御するステップと、
前記他の送信時間に前記他の広告パケットを送信するステップと、をさらに有することを特徴とする請求項１に記載の位置情報サービス提供方法。
【請求項３】
所定時間区間又は前記広告ウィンドウの予め設定された個数が前記アドバタイザ及び前記シンクロナイザの前の同期化後に経過したか否かに基づいて、前記アドバタイザと前記シンクロナイザとの間の再同期化を行うか否かを決定するステップと、
前記再同期化を行うか否かの決定に基づいて、前記シンクロナイザから他の同期化信号を選択的に受信待機するように前記アドバタイザを制御するステップと、
受信された他の同期化信号に基づいて予め設定された時間区間内において存在するように決定される次の広告パケットの次の送信時間を設定するステップと、
前記次の送信時間において、前記アドバタイザによって前記次の広告パケットを決定するステップと、をさらに有し、
前記アドバタイザを制御するステップは、前記シンクロナイザが、前記アドバタイザが前記同期化信号を受信した後から前記他の同期化信号を受信するまで前記アドバタイザによって受信が可能である少なくとも１つの中間同期化信号を送信するステップを含むことを特徴とする請求項２に記載の位置情報サービス提供方法。
【請求項４】
前記広告パケットの送信に基づいて、前記アドバタイザの動作電力モードを低電力使用モードに変更するステップと、
さらに高い電力使用モードで、前記予め設定された時間区間内において、前記アドバタイザによって送信されると予想される他の広告パケットの他の送信時間を設定するために、前記同期化信号に基づいて他の概略的な同期化を行い、前記広告パケット及び前記他の広告パケットがそれぞれ送信される予め設定された時間間隔の少なくとも１つの広告ウィンドウ内の予め設定された時間間隔後に前記アドバタイザの動作電力モードを高い電力使用モードに変更するステップと、
前記他の広告パケットを前記他の送信時間に送信するステップと、をさらに有することを特徴とする請求項１に記載の位置情報サービス提供方法。
【請求項５】
前記概略的な同期化を行うステップは、前記同期化信号に基づいて、１つ以上のユーザ端末によって前記アドバタイザが前記広告パケットを送信すると期待される時間区間である広告ウィンドウ内の任意の時点を前記広告パケットの送信時間として設定するステップを含むことを特徴とする請求項１に記載の位置情報サービス提供方法。
【請求項６】
前記広告パケットを送信するように前記アドバタイザを制御するステップは、前記広告ウィンドウの予め設定された複数のスロットのうち任意のスロットに前記広告パケットを送信するステップを含むことを特徴とする請求項５に記載の位置情報サービス提供方法。
【請求項７】
広告パケットの選択のための予め設定された同一の時間区間を示す広告送信間隔のそれぞれは、前記アドバタイザを含む複数のアドバタイザのそれぞれに対して相異なるように設定され、
前記広告パケットを送信するように前記アドバタイザを制御するステップにおいて、前記設定された送信時間は、前記アドバタイザに対して設定された広告送信間隔にランダムジッタを加えることによって決定されることを特徴とする請求項１に記載の位置情報サービス提供方法。
【請求項８】
前記同期化信号を受信するように前記アドバタイザを制御するステップは、前記シンクロナイザによって送信された前記同期化信号を間欠的に受信待機するか、又は前記シンクロナイザによって送信された全ての同期化信号を受信待機するように前記アドバタイザを制御するステップを含むことを特徴とする請求項１に記載の位置情報サービス提供方法。
【請求項９】
前記アドバタイザ及び前記シンクロナイザがそれ以上同期化されないか否かを示す前記概略的な同期の歪みを予測することによって、次の同期化信号を受信待機する時点を決定するステップと、
前記広告パケットを送信した後、予め設定された時間に直ちに前記アドバタイザの動作モードを活性化モードからスリープモードに切り替えるステップと、
前記次の同期化信号を受信する決定された時点に基づいて、前記アドバタイザの動作モードを前記スリープモードから前記活性化モードに切り替えるステップと、をさらに有することを特徴とする請求項１に記載の位置情報サービス提供方法。
【請求項１０】
前記次の同期化信号を受信待機すると決定された時点は、前記広告パケットの送信後、前記アドバタイザによって広告パケットのそれぞれが送信される前記予め設定された時間区間の間隔の所定の個数が経過するか否かに対する決定に基づくことを特徴とする請求項９に記載の位置情報サービス提供方法。
【請求項１１】
前記同期化信号のそれぞれは、前記広告パケットのための広告ウィンドウの間隔を示す情報、前記広告ウィンドウの期間を示す情報、及び前記広告パケットと関連する売り場に関する情報の内の少なくとも１つの情報を含むことを特徴とする請求項１に記載の位置情報サービス提供方法。
【請求項１２】
前記広告ウィンドウは、前記広告ウィンドウ内の広告パケットのそれぞれを提供するために、前記アドバタイザを含む複数のアドバタイザによって使用可能な予め設定された複数のスロットを含むことを特徴とする請求項１１に記載の位置情報サービス提供方法。
【請求項１３】
前記複数のアドバタイザのそれぞれは、前記予め設定された複数のスロットの内のいずれか１つのスロットを用いて前記広告ウィンドウ内の前記広告パケットのそれぞれをランダムに送信することを特徴とする請求項１２に記載の位置情報サービス提供方法。
【請求項１４】
前記広告ウィンドウは、複数のアドバタイザにおいて使用可能な予め設定された複数のスロットを含み、
前記アドバタイザを含む前記複数のアドバタイザは、予め設定された基準によって互いに異なる集合にグループ化され、
他の広告ウィンドウは、前記グループ化されたアドバタイザの他の集合の他の広告パケットを提供するために、他の広告ウィンドウ集合と異なる、グループ化されたアドバタイザの集合内においてグループ化された複数のアドバタイザ及び前記グループ化されたアドバタイザの集合に対する広告パケットを提供する送信された広告パケットの広告ウィンドウと共に、前記グループ化されたアドバタイザの集合のそれぞれに対して指定されることを特徴とする請求項１に記載の位置情報サービス提供方法。
【請求項１５】
関連する互いに異なる売り場を示す複数のアドバタイザのそれぞれに基づいて、１つのグループ化されたアドバタイザの集合としてグループ化された複数のアドバタイザのそれぞれが前記広告ウィンドウに対する広告パケットのそれぞれを送信するように制御するステップをさらに有することを特徴とする請求項１４に記載の位置情報サービス提供方法。
【請求項１６】
広告ウィンドウは、前記アドバタイザが前記広告パケットを送信する予め設定された時間区間に対応し、前記アドバタイザの送信カバレッジ内に位置する売り場のそれぞれに対して、前記アドバタイザによって送信された広告パケットのために個別的に提供される予め設定された複数のスロットを含むことを特徴とする請求項１に記載の位置情報サービス提供方法。
【請求項１７】
前記アドバタイザは、第１シンクロナイザとして、前記概略的な同期化を行い、前記広告パケットを送信するために、前記シンクロナイザから前記同期化信号を受信するように制御され、
前記アドバタイザは、前記広告パケットの送信後及び他の同期化信号の受信待機前に、前記第１シンクロナイザからの同期化信号に基づいて、送信された追加的な広告パケットを有する前記アドバタイザと共に、後の時間に後の広告パケットを送信するために、第２シンクロナイザから他の同期化信号を受信待機するように制御されることを特徴とする請求項１に記載の位置情報サービス提供方法。
【請求項１８】
ユーザ端末による受信のために前記広告パケットと関連する情報を送信するように前記シンクロナイザを制御するステップをさらに有し、
前記シンクロナイザより送信される広告パケットと関連する情報は、前記アドバタイザによって送信された広告パケットに含まれた情報と区別されることを特徴とする請求項１に記載の位置情報サービス提供方法。
【請求項１９】
前記広告パケットに含まれた情報は、前記シンクロナイザより送信される広告パケットと関連する情報と区別され、前記広告パケットと関連して、前記送信された広告パケットを受信するために前記シンクロナイザによってユーザ端末に提供されることを特徴とする請求項１に記載の位置情報サービス提供方法。
【請求項２０】
前記広告パケットに対応する次の広告パケットを送信する前記広告パケットのために予め設定された送信間隔に基づいて、前記予め設定された時間区間に対応する次の時間区間を予測するステップと、
調整された送信時間に前記次の広告パケットを送信して、前記次の広告パケットを前記予測された次の時間区間内に送信するように次の広告パケットの送信のための送信時間を調節するステップと、
前記次の広告パケットの送信後、予め設定された時間に直ちにスリープモードに移行するステップと、をさらに有することを特徴とする請求項１に記載の位置情報サービス提供方法。
【請求項２１】
ユーザ端末が前記同期化信号を受信して、前記同期化信号に基づいて前記予め設定された時間区間を認知し、前記予め設定された時間区間内において前記アドバタイザから前記広告パケットを受信するように制御するステップをさらに有することを特徴とする請求項１に記載の位置情報サービス提供方法。
【請求項２２】
前記予め設定された時間区間の間に前記ユーザ端末によって受信された広告パケット及び前記受信された広告パケットに対する付加的な情報を要求する接続要求パケットを前記アドバタイザに選択的に送信する前記ユーザ端末に基づいて、前記広告パケットの送信後の所定時間期間の間、前記アドバタイザが前記ユーザ端末からの接続要求パケットを受信待機するように制御するステップをさらに有することを特徴とする請求項２１に記載の位置情報サービス提供方法。
【請求項２３】
前記受信された広告パケットに含まれた情報に基づいて、選択的な受信待機の間に受信された前記広告パケットに関する情報を前記ユーザ端末の画面に表示するように前記ユーザ端末を制御するステップをさらに有することを特徴とする請求項２１に記載の位置情報サービス提供方法。
【請求項２４】
前記シンクロナイザから前記同期化信号を受信するようにユーザ端末を制御するステップと、
前記ユーザ端末によって受信された前記同期化信号において前記予め設定された時間区間に関する情報に基づいて、前記予め設定された時間区間内において前記アドバタイザによる広告パケットの送信を期待する前記ユーザ端末に基づいて前記送信された広告パケットを選択的に受信待機するように前記ユーザ端末を制御するステップと、をさらに有することを特徴とする請求項１に記載の位置情報サービス提供方法。
【請求項２５】
前記広告パケットの送信後直ちに、所定区間の間、前記送信された広告パケットに応答するユーザ端末からの接続要求パケットを受信待機するように前記アドバタイザを制御するステップと、
前記所定区間の間、前記ユーザ端末から前記アドバタイザによって受信される接続要求パケットがない場合、前記所定区間の間、スリープモードに移行するように前記アドバタイザを制御するステップと、をさらに有することを特徴とする請求項１に記載の位置情報サービス提供方法。
【請求項２６】
請求項１乃至２５に記載の位置情報サービス提供方法を実行させるためのプログラムが記録されたことを特徴とするコンピュータ読取可能な記録媒体。
【請求項２７】
遠距離の外部の１つ以上のシンクロナイザから同期化信号を受信するように１つ以上のユーザ端末を制御するステップと、
前記同期化信号によって予め設定された時間区間内において少なくとも１つの広告パケットを送信するために、少なくとも１つのアドバタイザが前記同期化信号によって、広告ウィンドウ内の任意の時点を前記広告パケットの送信時点に設定し、設定された任意の時点に前記広告パケットを送信することによって、
前記ユーザ端末によって受信される前記少なくとも１つの広告パケットに対して前記受信された同期化信号によって表示された予め設定された時間区間の間、前記ユーザ端末がチャネルを受信するように制御するステップと、
前記受信された１つの広告パケットに含まれた情報に基づいて、前記チャネルの受信の間に受信された前記ユーザ端末の画面に前記少なくとも１つの広告パケットのうち１つの広告パケットに関する情報を表示するステップと、を有し、
前記広告ウィンドウは、前記アドバタイザが前記広告パケットを送信できるように許容され制御された、又は期待される時間区間であり、
前記ユーザ端末で駆動されるアプリケーション又はプロセッサの電力要求事項及び前記ユーザ端末の決定された電池残量の内の少なくとも１つに基づいて、次の同期化信号を受信待機する時間及び間隔の内の少なくとも１つを調節するステップをさらに有することを特徴とする位置情報サービス提供方法。
【請求項２８】
前記１つの広告パケットに関する情報を表示するステップは、前記受信された同期化信号に含まれた１つの広告パケットに関する情報を表示するステップを含むことを特徴とする請求項２７に記載の位置情報サービス提供方法。
【請求項２９】
前記受信される１つの広告パケット又は前記受信される１つの広告パケットに関する受信された同期化信号に含まれた情報に対する付加的な情報を要求する前記受信される１つの広告パケットの接続要求パケットを前記アドバタイザに送信するように前記ユーザ端末を制御するステップをさらに有することを特徴とする請求項２７に記載の位置情報サービス提供方法。
【請求項３０】
前記アドバタイザに前記接続要求パケットを送信した前記ユーザ端末によって前記ユーザ端末と前記アドバタイザとの間に設定された通信の完了後、直ちに前記ユーザ端末の動作モードを活性モードからスリープモードに切り替えるステップをさらに有することを特徴とする請求項２９に記載の位置情報サービス提供方法。
【請求項３１】
前記ユーザ端末で駆動されるアプリケーション又はプロセッサの電力要求事項及び前記ユーザ端末の決定された電池残量の内の少なくとも１つに基づいて、チャネルを受信する時間及び間隔を調節するステップをさらに有することを特徴とする請求項２７に記載の位置情報サービス提供方法。
【請求項３２】
前記ユーザ端末に同期化信号をそれぞれ送信するように前記シンクロナイザを含む少なくとも１つのシンクロナイザを制御するステップをさらに有することを特徴とする請求項２７に記載の位置情報サービス提供方法。
【請求項３３】
前記少なくとも１つのシンクロナイザを制御するステップは、前記ユーザ端末によって第２シンクロナイザから任意の同期化信号を受信する前に、前記ユーザ端末の近接度及び第１シンクロナイザに基づいて、前記ユーザ端末に対する少なくとも前記予め設定された時間区間を定義して、初期同期化信号を送信するように第１シンクロナイザを制御するステップを含み、
複数の次の同期化信号を連続して選択的に受信待機するようにユーザ端末を制御するステップをさらに有し、
前記複数の次の同期化信号は、複数の次の同期化信号のそれぞれによって定義された少なくとも１つの広告ウィンドウ内においてアドバタイザが送信した広告パケットを前記ユーザ端末が選択的に受信待機する際、前記第２シンクロナイザによってそれぞれ送信され、それぞれ定義されることを特徴とする請求項３２に記載の位置情報サービス提供方法。
【請求項３４】
前記同期化信号の受信に基づいて、前記ユーザ端末が近距離通信技術に基づいた位置情報サービスを提供され得ることを認知するステップをさらに有することを特徴とする請求項２７に記載の位置情報サービス提供方法。
【請求項３５】
前記広告パケットを受信した後、直ちに前記ユーザ端末の動作モードを活性化モードからスリープモードに切り替えるステップをさらに有することを特徴とする請求項２７に記載の位置情報サービス提供方法。
【請求項３６】
広告システムであって、
１つ以上のアドバタイザを有し、
前記アドバタイザは、前記広告システムと分離した１つ以上のシンクロナイザから送信された同期化信号を受信する受信部と、
送信時間を設定するために、前記同期化信号によって、広告ウィンドウ内の任意の時点を広告パケットの送信時点に設定し、設定された任意の時点に前記広告パケットを送信する概略的な同期化を行うプロセッサと、
前記設定された送信時間に前記広告パケットをユーザ端末に送信する送信部と、を有し、
前記広告ウィンドウは、前記アドバタイザが前記広告パケットを送信できるように許容され制御された、又は期待される時間区間であることを特徴とする広告システム。
【請求項３７】
前記アドバタイザのプロセッサは、前記同期化信号に基づいて、前記広告パケットの送信時間として、前記広告パケットを送信する前記広告システムのユーザ端末によって予想される時間区間に対応する広告ウィンドウ内の任意の時点を設定することを特徴とする請求項３６に記載の広告システム。
【請求項３８】
前記アドバタイザの送信部は、前記広告ウィンドウ内に含まれた予め設定された複数のスロットのうち任意のスロットに前記広告パケットを送信することを特徴とする請求項３７に記載の広告システム。
【請求項３９】
広告パケットの選択のために予め設定された時間区間の間の間隔を示す広告送信間隔のそれぞれは、前記アドバタイザを含む前記広告システムの複数のアドバタイザのそれぞれに対して互いに異なるように設定され、
前記アドバタイザの送信部は、前記広告パケットに対して設定された広告送信間隔にランダムジッタを加えた設定送信時点に前記広告パケットを送信することを特徴とする請求項３６に記載の広告システム。
【請求項４０】
前記アドバタイザのプロセッサは、前記広告パケットに対応する次の広告パケットを送信する前記広告パケットの予め設定された送信間隔に基づいて、前記予め設定された時間区間に対応する次の時間区間を予測し、
前記予測された次の時間区間内において、前記次の広告パケットを送信するために前記次の広告パケットを送信する送信時間を調整し、前記調整された送信時間において、前記次の広告パケットを送信し、
前記次の広告パケットの送信後、予め設定された時間に直ちにスリープモードに移行することを特徴とする請求項３６に記載の広告システム。
【請求項４１】
少なくとも１つの処理装置及び対応する通信装置を含む前記シンクロナイザとして、第１シンクロナイザは、前記ユーザ端末の近接性及び前記第１シンクロナイザに基づいて、前記ユーザ端末によって前記広告システムの第２シンクロナイザから同期化信号を受信される前に、少なくとも１つの予め設定された時間区間を定義する初期同期化信号を前記広告システムのユーザ端末に送信し、
少なくとも１つの処理装置及び対応する通信装置を含む前記第２シンクロナイザは、互いに異なる時間に次の同期化信号をそれぞれ送信し、
少なくとも１つの処理装置及び対応する通信装置を含む前記ユーザ端末は、前記アドバタイザが前記広告パケットを送信した際に、前記ユーザ端末の予想及び前記ユーザ端末の前記初期同期化信号の受信に基づいて、前記アドバタイザによって送信された広告パケットのための受信待機を含む前記広告パケットを選択的に受信待機し、前記アドバタイザによって広告パケットのそれぞれが送信された際に、前記ユーザ端末の予想及び送信された次の同期化信号のそれぞれを受信するユーザ端末に基づいて、前記アドバタイザによって送信された広告パケットのそれぞれを受信待機することを特徴とする請求項４０に記載の広告システム。
【請求項４２】
広告システムであって、
１つ以上のユーザ端末を有し、
前記ユーザ端末は、前記広告システムの少なくとも１つのアドバタイザにて、１つ以上のシンクロナイザから送信された同期化信号による広告ウィンドウ内の任意の時点を広告パケットの送信時間に設定する概略的な同期化を行い、前記設定された送信時間に前記広告パケットが送信されることによって、前記ユーザ端末によって予想される前記広告パケットのための前記ユーザ端末で受信した同期化信号によって指示される時間区間の間、チャネルをスキャンするように前記ユーザ端末を制御するプロセッサと、
前記同期化信号及び前記チャネルをスキャンする間、検出された少なくとも１つの広告パケットのうち１つの広告パケットを受信する受信部と、を含み、
前記ユーザ端末のプロセッサは、前記ユーザ端末で駆動されるプロセッサ及びアプリケーションの電力要求事項及び前記ユーザ端末の電池で決定された電力残量の内の少なくとも１つに基づいて、次の同期化信号の受信待機のための時間及び間隔の内の少なくとも１つを調節することを特徴とする広告システム。
【請求項４３】
前記ユーザ端末は、前記受信された広告パケットに含まれた情報に基づいて前記受信された１つの広告パケットに関する情報を表示するディスプレイをさらに含むことを特徴とする請求項４２に記載の広告システム。
【請求項４４】
１つ以上の処理装置及び対応する通信装置のそれぞれを含む１つ以上のアドバタイザをさらに含み、
前記１つ以上のアドバタイザは、前記設定された送信時間と１つ以上の広告パケットの送信時間との間の概略的な同期化をアドバタイザそれぞれで行い、
前記それぞれの概略的な同期化に基づいて１つ以上の広告パケットの送信時間をそれぞれ設定して、
前記それぞれ設定された送信時間において、前記１つ以上の広告パケットをそれぞれ送信することを特徴とする請求項４２に記載の広告システム。
【発明の詳細な説明】
【技術分野】
【０００１】
本発明は、位置情報サービス提供方法及び広告システムに関し、特に同期化信号及びチャネルをスキャンする時間及び周期などを調節してエネルギーの消耗を抑えることのできる位置情報サービス提供方法及び広告システムに関する。
【背景技術】
【０００２】
“物”のインターネット（Ｉｎｔｅｒｎｅｔ  ｏｆ  Ｔｈｉｎｇｓ；ＩｏＴ）に対する関心が高まる中で、これを用いた様々なサービスが開発されている。
ユーザの現在の位置を基に、例えばモバイル決済及び屋内位置追跡（ｉｎｄｏｏｒ  ｌｏｃａｔｉｏｎ  ｔｒａｃｋｉｎｇ）などのサービス及びカスタマイズ情報を提供する位置情報サービス（Ｌｏｃａｔｉｏｎ−Ｂａｓｅｄ  Ｓｅｒｖｉｃｅ；ＬＢＳ）もまた、様々な形態で用いられている。
位置情報サービスを提供するにあたって、周辺に位置する機器を検索することは、サービス提供のための基本工程になる。
ウェアラブルデバイス（ｗｅａｒａｂｌｅ  ｄｅｖｉｃｅ）のように小型電池を用いる装置の場合、周辺に位置する機器を検索するために消耗されるエネルギーの相対量が大容量の電池を使用する装置に比べて非常に大きい。
【０００３】
また、このような位置情報サービスが、例えば１つ以上の小売店広告装置（ｒｅｔａｉｌ  ａｄｖｅｒｔｉｓｅｒ  ｄｅｖｉｃｅ）と共に用いられる場合、一例として、ウェアラブルデバイスのユーザは、ウェアラブルデバイスの位置に応じて潜在的に小売店に関する情報の提供を受け、小売店広告装置は設定された時間にそれぞれ独立してユーザの検索情報をブロードキャストし、ウェアラブルデバイスがこれらのブロードキャストの検索情報の受信に基づいてこのような小売店広告装置を検索しようと試みるか否かに関らず同様の問題が発生し得る。
【０００４】
例えば、ウェアラブルデバイスは、１つ以上の小売店広告装置のブロードキャストと最終的に交差する固定されたデューティサイクルによって検索モードに移行したり、又は、ウェアラブルデバイスは、ウェアラブルデバイスの電池をよりはやく消耗させる常時検索モードに設定し得る。
【０００５】
したがって、上記の２つの例示には問題点があり、２つの例示は検索、及び小売店広告装置と通信するために好ましいものよりも多くのエネルギーを使用するという問題がある。
【発明の概要】
【発明が解決しようとする課題】
【０００６】
本発明は上記従来の位置情報サービスにおける問題点に鑑みてなされたものであって、本発明の目的は、ユーザ端末にインストールされたアプリケーションの要求事項及び電池残量に基づいて、同期化信号及びチャネルをスキャンする時間及び／又は周期などを調節することによってエネルギーの消耗を減らしつつも、デバイス検索時間、検索成功率もまた向上させることができる位置情報サービス提供方法及び広告システムを提供することにある。
【課題を解決するための手段】
【０００７】
上記目的を達成するためになされた本発明による位置情報サービス提供方法は、遠距離の外部の少なくとも１つのシンクロナイザによって送信された同期化信号を受信するように１つ以上のアドバタイザ（Ａｄｖｅｒｔｉｓｅｒ）を制御するステップと、前記同期化信号によって予め設定された時間区間である広告ウィンドウ内において広告パケットを送信するために、前記アドバタイザが前記同期化信号によって、前記広告ウィンドウ内の任意の時点を前記広告パケットの送信時間に設定する概略的な同期化（ｃｏａｒｓｅ  ｓｙｎｃｈｒｏｎｉｚａｔｉｏｎ）を行うステップと、前記設定された送信時間に前記広告パケットを１つ以上のユーザ端末に送信するように前記アドバタイザを制御するステップと、を有し、前記広告ウィンドウは、前記アドバタイザが前記広告パケットを送信することができる予め設定された時間区間に対応することを特徴とする。
【０００８】
また、上記目的を達成するためになされた本発明による位置情報サービス提供方法は、遠距離の外部の１つ以上のシンクロナイザから同期化信号を受信するように１つ以上のユーザ端末を制御するステップと、前記同期化信号によって予め設定された時間区間内において少なくとも１つの広告パケットを送信するために、少なくとも１つのアドバタイザが前記同期化信号によって、広告ウィンドウ内の任意の時点を前記広告パケットの送信時点に設定し、設定された任意の時点に前記広告パケットを送信することによって、前記ユーザ端末によって受信される前記少なくとも１つの広告パケットに対して前記受信された同期化信号によって表示された予め設定された時間区間の間、前記ユーザ端末がチャネルを受信するように制御するステップと、前記受信された１つの広告パケットに含まれた情報に基づいて、前記チャネルの受信の間に受信された前記ユーザ端末の画面に前記少なくとも１つの広告パケットのうち１つの広告パケットに関する情報を表示するステップと、を有し、前記広告ウィンドウは、前記アドバタイザが前記広告パケットを送信できるように許容され制御された、又は期待される時間区間であり、前記ユーザ端末で駆動されるアプリケーション又はプロセッサの電力要求事項及び前記ユーザ端末の決定された電池残量の内の少なくとも１つに基づいて、次の同期化信号を受信待機する時間及び間隔の内の少なくとも１つを調節するステップをさらに有することを特徴とする。
【０００９】
上記目的を達成するためになされた本発明による広告システムは、広告システムであって、１つ以上のアドバタイザを有し、前記アドバタイザは、前記広告システムと分離した１つ以上のシンクロナイザから送信された同期化信号を受信する受信部と、送信時間を設定するために、前記同期化信号によって、広告ウィンドウ内の任意の時点を広告パケットの送信時点に設定し、設定された任意の時点に前記広告パケットを送信する概略的な同期化を行うプロセッサと、前記設定された送信時間に前記広告パケットをユーザ端末に送信する送信部と、を有し、前記広告ウィンドウは、前記アドバタイザが前記広告パケットを送信できるように許容され制御された、又は期待される時間区間であることを特徴とする。
【００１０】
また、上記目的を達成するためになされた本発明による広告システムは、広告システムであって、１つ以上のユーザ端末を有し、前記ユーザ端末は、前記広告システムの少なくとも１つのアドバタイザにて、１つ以上のシンクロナイザから送信された同期化信号による広告ウィンドウ内の任意の時点を広告パケットの送信時間に設定する概略的な同期化を行い、前記設定された送信時間に前記広告パケットが送信されることによって、前記ユーザ端末によって予想される前記広告パケットのための前記ユーザ端末で受信した同期化信号によって指示される時間区間の間、チャネルをスキャンするように前記ユーザ端末を制御するプロセッサと、前記同期化信号及び前記チャネルをスキャンする間、検出された少なくとも１つの広告パケットのうち１つの広告パケットを受信する受信部と、を含み、前記ユーザ端末のプロセッサは、前記ユーザ端末で駆動されるプロセッサ及びアプリケーションの電力要求事項及び前記ユーザ端末の電池で決定された電力残量の内の少なくとも１つに基づいて、次の同期化信号の受信待機のための時間及び間隔の内の少なくとも１つを調節することを特徴とする。
【発明の効果】
【００１１】
本発明に係る位置情報サービス提供方法及び広告システムによれば、ユーザ端末にインストールされたアプリケーションの要求事項及び電池残量に基づいて、同期化信号及びチャネルをスキャンする時間及び／又は周期などを調節することによってエネルギーの消耗を減らすと同時に、デバイス検索時間、検索成功率もまた、向上させることができるという効果がある。
【図面の簡単な説明】
【００１２】
【図１】本発明の一実施形態に係る位置情報サービスを提供するためのシステムの概略構成を示す図である。
【図２】本発明の一実施形態に係るシステムにおいて、シンクロナイザ、アドバタイザ、及びユーザ端末との間のパケット送信工程を示す図である。
【図３】本発明の一実施形態に係るアドバタイザの動作方法を説明するためのフローチャートである。
【図４】本発明の他の実施形態に係るアドバタイザの動作方法を説明するためのフローチャートである。
【図５】本発明の一実施形態に係るユーザ端末の動作方法を説明するためのフローチャートである。
【図６】本発明の他の実施形態に係るユーザ端末の動作方法を説明するためのフローチャートである。
【図７】本発明の一実施形態に係る位置情報サービスを提供する方法を説明するための図である。
【図８】本発明の他の実施形態に係る位置情報サービスを提供する方法を説明するための図である。
【図９】本発明のさらに他の実施形態に係る位置情報サービスを提供する方法を説明するための図である。
【図１０】本発明の一実施形態に係るシンクロナイザ及びアドバタイザが例えば近距離通信技術に基づいてユーザ端末に提供する情報を説明するための図である。
【図１１】本発明の一実施形態に係るアドバタイザの概略構成を示すブロック図である。
【図１２】本発明の一実施形態に係るユーザ端末のブロック図である。
【発明を実施するための形態】
【００１３】
次に、本発明に係る位置情報サービス提供方法及び広告システムを実施するための形態の具体例を図面を参照しながら説明する。
各図面に提示された同一の参照符号は、同一の部材を示す。
【００１４】
以下で説明する実施形態は様々な変更が加えられてもよい。以下で説明する実施形態は実施形態に対して限定しようとするものではなく、これに対する全ての変更、均等物ないし代替物を含むものとして理解しなければならない。
【００１５】
実施形態で用いる用語には、単に特定の実施形態を説明するために用いたもので、実施形態を限定しようとする意図はない。単数の表現は文脈上、明白に異なる意味をもたない限り複数の表現を含む。本明細書において、「含む」又は「有する」などの用語は明細書上に記載された特徴、数字、ステップ、動作、構成要素、部品又はこれを組み合わせたものが存在することを指定しようとするものであって、１つ又はそれ以上の他の特徴や数字、ステップ、動作、構成要素、部品又はこれを組み合わせたものなどの存在又は付加の可能性を予め排除しないものとして理解しなければならない。
【００１６】
異なる定義がされない限り、技術的であるか科学的な用語を含み、ここで用いられる全ての用語は、実施形態が属する技術分野で通常の知識を有する者によって一般的に理解されるのと同じ意味を有する。一般的に用いられる予め定義されているような用語は、関連技術の文脈上で有する意味と一致する意味を有するものと解釈するべきであって、本出願で明白に定義しない限り、理想的であるか過度に形式的な意味と解釈されることはない。
【００１７】
また、添付図面を参照して説明することにおいて、図面符号に関係なく同一の構成要素は同一の参照符号を付与し、それに対する重複説明は省略することにする。実施形態を説明において関連の公知技術に対する具体的な説明が実施形態の要旨を不要に曖昧にすると判断される場合、その詳細な説明を省略する。
【００１８】
図１は、本発明の一実施形態に係る位置情報サービスを提供するためのシステムの概略構成を示す図である。
図１を参照すると、本発明の一実施形態に係るシステムは、シンクロナイザ１１０、アドバタイザ（Ａｄｖｅｒｔｉｓｅｒ）１３０、及びユーザ端末１５０を含む。
【００１９】
アドバタイザ１３０及びユーザ端末１５０は、単数であってもよく、図１に示すように複数であってもよい。
すなわち、複数のユーザ端末１５０及び単数のアドバタイザ１３０、単数のユーザ端末１５０及び複数のアドバタイザ１３０、又は、複数のユーザ端末１５０及び複数のアドバタイザ１３０があってもよい。
【００２０】
シンクロナイザ１１０は、１つ以上のユーザ端末１５０及び１つ以上のアドバタイザ１３０を含むシステム全体に対する同期化のような管理を担当し得る。
アドバタイザ１３０は、固定された位置を有したり、又は移動性があり、又は固定されたり、又は移動した位置を含んでもよい。
【００２１】
本発明の一実施形態では、シンクロナイザ１１０は、エネルギーの消耗に対する制約がなかったり又は少ない。
シンクロナイザ１１０は、選択的に移動性のものであってもよく、電池動作に基づいて電力制限を有してもよい。
【００２２】
実施形態に応じて、複数のシンクロナイザ１１０が、互いに連動して同期化されてもよく、例えば、それぞれがシステムを管理してもよく、１つのシンクロナイザ１１０がシステムにおいて全てのアドバタイザ１３０又はユーザ端末１５０を管理するのに十分な範囲又は機能を有することができない場合などに、システムで１つ以上のアドバタイザ１３０及びユーザ端末１５０を管理してもよい。
また、他の実施形態によれば、シンクロナイザ１１０は、それ自体でアドバタイザ１３０として動作するように構成されてもよい。
【００２３】
シンクロナイザ１１０は、アドバタイザ１３０がアドバタイザ１３０を１つ以上のユーザ端末１５０と区別する広告パケットを送信する時点を同期化させる。
実施形態に応じて、シンクロナイザ１１０は、システム内に予め設定、決定された時間間隔において同期化信号を送信することができる無線ＬＡＮのアクセスポイント（Ａｃｃｅｓｓ  Ｐｏｉｎｔ；ＡＰ）であり得る。
【００２４】
アドバタイザ１３０は、シンクロナイザ１１０から受信した同期化信号に基づいて行われた概略的な同期に基づいて、ユーザ端末１５０に広告パケットを送信することができる。
アドバタイザ１３０は、一定の距離内にあるユーザ端末１５０に近距離通信プロトコルによって広告パケットを送信し、自分の存在を知らせる様々な通信機器として理解されてよい。
【００２５】
ここで、「概略的な同期を合わせる」又は「概略的な同期化」は、アドバタイザ１３０が常に広告パケットを正確に同一の時点に送信することを意味しない。
むしろ概略的な同期化は、アドバタイザ１３０が予め設定された時間区間内の任意の時間においてランダムに広告パケットを送信することを意味する。
ここで、予め設定された時間区間は、例えば、予め設定された広告ウィンドウであってもよい。
「広告ウィンドウ」は、アドバタイザ１３０が少なくとも１つのユーザ端末１５０に広告パケットを送信できるように許容され制御された、又は期待される時間区間として理解されてもよい。
広告ウィンドウに関しては、図２を参照して説明する。
【００２６】
より具体的には、アドバタイザ１３０によって行われる概略的な同期化は、アドバタイザ１３０がシンクロナイザ１１０の同期化信号によって、広告ウィンドウ内の任意の時点を広告パケットの送信時点に設定し、設定された任意の時点に広告パケットを送信することと理解されてもよい。
ここで、広告ウィンドウ内の任意の時点は、例えば、広告ウィンドウ内に含まれた複数のスロットのうち任意のスロットに該当し得る。
【００２７】
例えば、アドバタイザ１３０もまた、連続的な電源供給によって動作したり、又は、電池と持続的な電源の内の１つを用いて動作することができるが、アドバタイザ１３０は、電池のような低電力によって動作することができる。
【００２８】
アドバタイザ１３０は、例えば、広告パケットの送信間隔にランダムジッタを加えて次の広告パケットの送信時点を決定することができる。
「広告パケットの送信間隔」は、広告パケットが送信される時間間隔として理解してもよい。
例えば、広告パケットが全ての広告ウィンドウごとに送信されるように、広告パケットは、広告ウィンドウの１回ごとに送信したり、又は、広告ウィンドウの２回ごとに送信してもよい。広告パケットの送信間隔は、「広告ウィンドウ間隔（ａｄｖｅｒｔｉｓｅｍｅｎｔ  ｗｉｎｄｏｗ  ｉｎｔｅｒｖａｌ）」と呼ぶこともできる。
【００２９】
例えば、広告パケットの送信間隔が１００ｍｓであり、ランダムジッタが±５ｍｓ内において毎回任意に選択される値であると仮定する。
アドバタイザ１３０は、次の広告パケットに対する次の送信時間を、ランダムジッタとして選択された３ｍｓを広告パケットの送信間隔の１００ｍｓに加えることによって取得された、最後の広告パケット又は広告ウィンドウから満了した１０３ｍｓ後になるように決定することができる。
アドバタイザ１３０は、次の広告パケットの送信時点が次の広告ウィンドウの範囲を逸脱しないように調整することができる。
【００３０】
本発明の一実施形態では、広告パケットの送信時点に対する無作為配分によって複数のアドバタイザ１３０が同一の空間内で共存する。
同一の領域は、ＷＬＡＮ又は１つ以上の接続されたＡＰが接続されたり又はシンクロナイザ１１０として動作するカバーエリアを示す。
シンクロナイザ１１０、アドバタイザ１３０、及びユーザ端末１５０との間のパケット送信工程は、図２を参照して説明する。
【００３１】
アドバタイザ１３０及びユーザ端末１５０は、シンクロナイザ１１０が送信する同期化信号を間欠的に受信したり、又は全ての広告ウィンドウごとに受信したり、又はシンクロナイザ１１０によって送信された全ての同期化信号ごとに受信することができる。同期化信号は、例えば、ビーコンパケット又はこれと類似の類型のパケットであってもよい。ここで、「同期化信号を間欠的に受信する」とは、例えばシンクロナイザ１１０が広告ウィンドウごとに規則的に同期化信号を送信すると仮定すると、３番目あるいは５番目の広告ウィンドウごとに一回ずつ同期化信号を受信することと理解されてもよい。
【００３２】
本発明の一実施形態に係るアドバタイザ１３０は、例えば標準規格又は製造会社の規格によってクロックドリフトなどのような概略的な同期の歪みを予測する。
アドバタイザ１３０は、予測した概略的な同期の歪み又は同期の損失に備えて、例えば、５番目の広告ウィンドウごとに１回ずつ、あるいは３分ごとに１回ずつ同期化信号を間欠的に受信する。
【００３３】
上述したように、広告情報を受信する典型的な非同期化方式は、広告パケットを受信するために、ユーザ端末がチャネルを持続的にスキャン又は受信待機したり、又は、ユーザ端末が例えば広告パケットをスキャン又は受信待機する時間を制御するための独立的なデューティサイクルで動作する。
【００３４】
本発明の一実施形態では、ユーザ端末１５０が例えばシンクロナイザ１１０から同期化情報を取得した後に、ユーザ端末１５０がシンクロナイザ１１０によって送信される複数の同期化信号の内の間欠的にスキャン又は受信待機する同期化信号、又は、シンクロナイザ１１０が同期化信号をブロードキャストするものと期待又は予想される時間ごとにスキャン又は受信待機する同期化信号に基づいて、チャネルをスキャン又は受信待機するのに必要な時間間隔を最小化することによって電力消費を最小化することができる。
【００３５】
ここで、チャネルに対するスキャン又は受信待機は、同一の意味を有する。
これと同様に、同期化信号のスキャン又は受信待機もまた、同一の意味を有する。
したがって、ユーザ端末１５０がアドバタイザ１３０によって送信された広告を検索するのに実際に必要となる時間又は時間のウィンドウは、例えばシンクロナイザ１１０によってユーザ端末１５０に提供される同期化情報に基づいて、広告がアドバタイザ１３０によって送信されると期待又は予想される時に従属され得る。
【００３６】
したがって、本発明の一実施形態において、アドバタイザ１３０による広告の送信ウィンドウは、ユーザ端末１５０の検索時間に独立せず、これは、ユーザ端末１５０が活動的でなくなり、より効率的に電池寿命を保存するために作動する時を戦略的に選択するようにすることができる。
【００３７】
最初又はその後の動作の一例は、シンクロナイザ１１０から送信された同期化信号の受信に応答して開始することができる。
ユーザ端末１５０は、シンクロナイザ１１０から送信された同期化信号に続いて開始する予め設定された時間区間の間に広告チャネルをスキャン又は受信待機して、検索されたアドバタイザ１３０がない場合、ユーザ端末１５０が再び広告チャネルをスキャンする予め設定された次の時間期間までスリープモード又は非検索モード（ｎｏｎ−ｄｉｓｃｏｖｅｒｙ  ｍｏｄｅ）に移行することができる。
【００３８】
もし、予め設定された時間区間の間で、ユーザ端末１５０がアドバタイザ１３０から広告を受信した場合、ユーザ端末１５０は、広告の受信に基づいてユーザ端末１５０の周辺にアドバタイザ１３０が位置していることを確認することができる。
ユーザ端末１５０は、同期化信号を受信して、チャネルをスキャンする周期をどのように設定するかによって、検索成功率、待ち時間、及びエネルギーの消耗量などが変わり得る。
そのため、ユーザ端末１５０は、アプリケーションの要求事項及び現在の電池残量に基づいて同期化信号を受信して、チャネルをスキャンする周期を適切に設定することができる。
【００３９】
アドバタイザ１３０から広告パケットを受信したユーザ端末１５０は、アドバタイザ１３０に接続要求パケット（ｃｏｎｎｅｃｔｉｏｎ  ｒｅｑｕｅｓｔ  ｐａｃｋｅｔ）を送信してもよい。
例えば、自動で又はユーザ端末１５０に表示された受信された広告パケットからの情報に関する追加情報に対するユーザの指示に基づいて、ユーザ端末１５０は、追加情報のための接続要求パケットをアドバタイザ１３０に送信したり、及び／又は受信された広告パケットと関連してユーザに関する情報をアドバタイザ１３０に提供してもよい。
【００４０】
接続要求パケットは、アドバタイザ１３０とユーザ端末１５０との間の接続を設定又は成立するためのものである。
アドバタイザ１３０とユーザ端末１５０との間の接続が成立されれば、アドバタイザ１３０とユーザ端末１５０は、広告チャネルでない他のデータチャネルを介して様々なデータ又は情報をやりとりすることができる。
アドバタイザ１３０とユーザ端末１５０は、低電力の近距離通信技術又はプロトコルを基にデータチャネルでデータをやりとりすることが可能である。
【００４１】
広告チャネルの一例は、近距離低電力通信技術（ｓｈｏｒｔ−ｒａｎｇｅ  ｌｏｗ  ｐｏｗｅｒ  ｃｏｍｍｕｎｉｃａｔｉｏｎ  ｔｅｃｈｎｏｌｏｇｙ）、又は他の通信技術、又はプロトコルのように設定されたチャネルであってもよい。
アドバタイザ１３０との接続の間、ユーザ端末１５０は、アドバタイザ１３０との接続から誘導された情報を表示してもよい。
【００４２】
データ送受信が終了したり、通信範囲を逸脱して接続が切れた場合、アドバタイザ１３０とユーザ端末１５０は、再び全体システムとの同期を合わせるために、シンクロナイザ１１０から同期化信号を受信することができ、その後、アドバタイザ１３０から受信された次の広告の受信によってアドバタイザ１３０との通信を再び試みることができる。
アドバタイザ１３０とユーザ端末１５０との間の分離によって、アドバタイザ１３０及びユーザ端末１５０は、同期化信号を受信するために常時スキャン（ａｌｗａｙｓ−ｏｎ  ｓｃａｎｎｉｎｇ）を行ったり、デューティサイクルスキャン（ｄｕｔｙ−ｃｙｃｌｅｄ  ｓｃａｎｎｉｎｇ）を行い、アドバタイザ１３０とユーザ端末１５０との間のよりはやい接続を再設定することができる。
【００４３】
ユーザ端末１５０は、例えばターミナルデバイス、パーソナルコンピュータ、タブレットＰＣ、スマートフォン、ＰＤＡ（Ｐｅｒｓｏｎａｌ  Ｄｉｇｉｔａｌ  Ａｓｓｉｓｔａｎｔ）、ウェアラブルデバイス、ハブ（Ｈｕｂ）などで実現してもよい。
【００４４】
シンクロナイザ１１０、アドバタイザ１３０、及びユーザ端末１５０は、例えば、ＷＬＡＮ（Ｗｉｒｅｌｅｓｓ  ＬＡＮ）、ＷｉＦｉ（Ｗｉｒｅｌｅｓｓ  Ｆｉｄｅｌｉｔｙ）Ｄｉｒｅｃｔ、ＤＬＮＡ（登録商標）（Ｄｉｇｉｔａｌ  Ｌｉｖｉｎｇ  Ｎｅｔｗｏｒｋ  Ａｌｌｉａｎｃｅ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの無線インターネットインターフェース及び／又はブルートゥース（登録商標）（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）、ＺｉｇＢｅｅ（登録商標）、ＮＦＣ（Ｎｅａｒ  Ｆｉｅｌｄ  Ｃｏｍｍｕｎｉｃａｔｉｏｎ）などの近距離通信インターフェースを含んでもよい。
【００４５】
図２は、本発明の一実施形態に係るシステムにおいて、シンクロナイザ、アドバタイザ、及びユーザ端末との間のパケット送信工程を示す図である。
図２を参照すると、８つのスロットで構成された広告ウィンドウ（２１０、２２０、２３０、２４０、２５０）が示されている。
広告ウィンドウ（２１０、２２０、２３０、２４０、２５０）は、アドバタイザ２０３がユーザ端末２０５に広告パケットを送信できる時間区間として理解してよい。
【００４６】
広告ウィンドウ（２１０、２２０、２３０、２４０、２５０）の一番前に表示されている四角形［Ｓ］は、シンクロナイザ２０１がアドバタイザ２０３及びユーザ端末２０５に一定の時間間隔に送信する同期化信号を示す。
同期化信号は、例えばビーコンパケットであってもよい。
一定の時間間隔は、例えば他の広告ウィンドウ間の開始の間の間隔、又は、互いに異なる広告ウィンドウの終了の間の間隔のような広告ウィンドウ２１０と広告ウィンドウ２２０との間の間隔、すなわち広告ウィンドウ間隔であってもよい。
【００４７】
一例として、シンクロナイザ２０１によって送信された同期化信号のうちの１つは、予想された広告ウィンドウ直前の所定時間のチャネルスキャン又は受信待機の開始、又はアドバタイザ２０３及びユーザ端末２０５が決定したり、又は認識できる他の期待又は予想時間又は期間にアドバタイザ２０３又はユーザ端末２０５によるスキャン又は受信待機によって選択的に受信してもよい。
【００４８】
アドバタイザ２０３は、シンクロナイザ２０１から間欠的に同期化信号［Ｓ］を受信して概略的な同期を合わせ、ユーザ端末２０５によって受信された広告ウィンドウ内において、例えばシンクロナイザ２０１からの同期化信号［Ｓ］の間欠的受信に基づいて、ランダムに広告パケットを送信する。
同期化信号の間欠的受信は、アドバタイザがシンクロナイザ２０１から送信された同期化信号を、例えば、送信された同期化信号を２回ごとに１回ずつ、３回ごとに１回ずつ、又は、４回ごとに１回ずつ受信待機するように選択的に受信待機することができることを示す。
【００４９】
各広告ウィンドウ内において構成されているいずれか１つのスロットは、複数のアドバタイザの内のいずれか１つのアドバタイザ２０３が各広告ウィンドウの任意に選択されたスロットに送信する広告パケットを示す。
例えば、広告パケットを送信しようとする８つのアドバタイザがあると仮定する。
広告ウィンドウ２１０において、６番目のスロットでは２番目のアドバタイザの広告パケットが送信され、広告ウィンドウ２２０の４番目のスロットでは１番目のアドバタイザの広告パケットが送信され得る。
広告ウィンドウ及び予め設定されたスロットに対する追加的な実施形態は、図７〜図９を参照して説明する。
【００５０】
また、８つのアドバタイザのうち１番目のアドバタイザと４番目のアドバタイザが概略的な同期に合わせて送信した広告パケットが偶然に１つの広告ウィンドウ内の５番目のスロットに同時に送信され得る。
この場合、５番目のスロットでは、１番目のアドバタイザと４番目のアドバタイザが送信した広告パケット間で衝突が発生し得る。
ここで、１番目のアドバタイザと４番目のアドバタイザは、衝突の発生の有無は考慮せずに、自分に合うように設定された広告パケットの送信間隔によって概略的な同期に合わせて、次あるいはその次の広告ウィンドウにおいて、ユーザ端末に広告パケットを送信することができる。
【００５１】
実施形態に応じて、複数のアドバタイザは、販売商品、テーマなどのような様々な分類基準によって１つのグループにグループ化することができる。
複数のアドバタイザがグループ化された実施形態に関しては、図８を参照して説明する。
【００５２】
シンクロナイザ２０１及びユーザ端末２０５を含む全体システムとの同期化のために、アドバタイザ２０３は、広告ウィンドウ２１０及び広告ウィンドウ２４０のように間欠的に同期化信号を受信する。
図２において、アドバタイザ２０３と関連して点線で表示された部分は、アドバタイザ２０３が同期化信号の受信、広告パケットの送信、及びユーザ端末２０５から受信された接続要求パケットの受信などのために解除されている時間を意味する。
一例として、図２は、広告パケットのそれぞれが送信された後に、アドバタイザ２０３が解除を維持したり、又は、例えば、広告パケットを受信したユーザ端末からの接続要求パケットを受信するために十分な所定時間の間、検索モードを維持することを示す。
【００５３】
アドバタイザ２０３は、例えば同期化信号を受信する時間区間又は広告パケットを送信する時間区間のように点線で表示された部分以外の時間区間では、スリープモードに移行することによってエネルギー消費を節減することができる。
【００５４】
広告ウィンドウ２３０は、シンクロナイザ２０１とアドバタイザ２０３との間の同期が取られる状況を示す。
また、アドバタイザ２０３は、クロックドリフトによって時間が経つほどシンクロナイザ２０１と同期が取られる可能性がある。取られる同期を補正するために、アドバタイザ２０３は、毎回又は間欠的にシンクロナイザ２０１の同期化信号を受信して再び同期を合わせてもよい。
【００５５】
一般的な同期化システムにおいて、広告ウィンドウ２３０と共にクロックドリフトが発生した場合、アドバタイザは、取られる同期によって広告パケットを正常に送信できず、ユーザ端末もまた、広告パケットを正常に受信することができない。
本発明の一実施形態に係るユーザ端末２０５は、アドバタイザ２０３によって設定された概略的な同期に基づいて送信された広告パケットを広告ウィンドウ内から受信することによって、シンクロナイザ２０１とアドバタイザ２０３との間で同期が取られるか否かとは関係なく広告パケットを正常に受信することができる。
【００５６】
広告ウィンドウ２３０において、例えば、５番目のアドバタイザが概略的な同期に基づいて送信した広告パケットは、広告ウィンドウ２３０内の３番目のスロットによって送信され得る。
広告パケットが広告ウィンドウ２３０内に送信されるため、ユーザ端末２０５は、シンクロナイザ２０１とアドバタイザ２０３との間の同期のずれには関係なく正常に広告パケットを受信することができる。
【００５７】
本発明の一実施形態に係るアドバタイザ２０３は、例えば標準規格又は製造会社の規格によってクロックドリフトなどのような概略的な同期の歪みを予測することにより、次の同期化信号を受信する時点を決定する。
一例として、複数の広告ウィンドウ又は広告パケットの送信が発生した後までこのような歪みが発生しない、又は、概略的な同期に充分に影響を与えると予想してもよい。
【００５８】
ここで、例えば、次の同期化信号を受信する時点は、広告ウィンドウ２１０における同期化から複数の広告ウィンドウ間隔後の時点（例えば、広告ウィンドウ２４０の開始時点）であってもよい。
アドバタイザ２０３は、広告パケットを送信した後、動作モードを活性化モードからスリープモードに切り替える。
その後、アドバタイザ２０３は、前もって決定した次の同期化信号を受信する時点（広告ウィンドウ２４０の開始時点）で動作モードをスリープモードから活性化モードに切り替える。
アドバタイザ２０３は、広告ウィンドウ２４０の開始時点より少し早く活性化モードに切り替えて同期化信号を受信して、再び同期化を行う。
【００５９】
アドバタイザ２０３から送信された広告パケットを受信したユーザ端末２０５は、広告パケットと関連する接続を要求しようとする場合、広告パケットの受信後、一定の時間内にアドバタイザ２０３に接続要求パケットを送信することができる。
【００６０】
アドバタイザ２０３は、予め設定された広告パケットの送信間隔に基づいて、予め設定された時間区間の次の時間区間、すなわち、広告ウィンドウ２５０を予測してもよい。
アドバタイザ２０３は、次の広告パケットの送信時点が次の時間区間（広告ウィンドウ２５０）を逸脱しないように調節してもよい。
アドバタイザ２０３は、例えば、広告ウィンドウ２５０の時間区間の中間程度に該当する時間、又は、広告ウィンドウ２５０の開始時点にランダムジッタを加えた時間に次の広告パケットを送信することによって、次の広告パケットの送信時点が広告ウィンドウ２５０を逸脱しないように調節することができる。
アドバタイザ２０３は、調節された送信時点において広告パケットを送信した後、スリープモードに移行してもよい。
【００６１】
ユーザ端末２０５は、シンクロナイザ２０１から送信された同期化信号［Ｓ］を受信し、同期化信号［Ｓ］に合わせてチャネルをスキャンして、広告パケットを受信する。
ユーザ端末２０５もまた、ユーザ端末２０５と関連して点線で表示された広告ウィンドウ以外の時間区間では、スリープモードに移行することによってエネルギー消費を節減することができる。
【００６２】
また、図２に示しているように、ユーザ端末２０５は、同期化信号を受信するために、広告ウィンドウの前の所定時間にこのようなスリープモードから選択的に解除、又は対応する検索モードに移行する。
送信された全ての同期化信号がユーザ端末２０５によって受信されるものと図では示しているが、ユーザ端末２０５は、同期化信号に対するこのような追加的なスキャン又は受信待機を、例えば、送信された同期化信号を２回ごとに１回ずつ、又は３回ごとに１回ずつ受信するように選択的に行ってもよい。
【００６３】
図３は、本発明の一実施形態に係るアドバタイザの動作方法を説明するためのフローチャートである。
図３を参照すると、本発明の一実施形態に係るアドバタイザは、シンクロナイザから同期化信号を受信する（ステップＳ３１０）。
【００６４】
同期化信号は、アドバタイザが送信する広告パケットの送信時点を概略的に同期化するためのものであってもよい。
同期化信号は、ビーコンパケット又はこれと類似の機能を行う信号であって、例えば、広告ウィンドウの周期、広告ウィンドウの長さ、及び広告パケットと関連する売り場に関する情報などを含んでもよい。
広告パケットと関連する売り場に関する情報は、例えば、広告パケットを送信する売り場がいかなる物品を販売又は提供する売り場であって、位置がどこで、現在の当該売り場において進行する行事としていかなるものがあるのかなどを含んでもよい。
アドバタイザは、シンクロナイザから周期的又は間欠的に同期化信号を受信し得る。
【００６５】
アドバタイザは、同期化信号によって、予め設定された時間区間内において、広告パケットの送信のための概略的な同期を合わせる（ステップＳ３２０）。
ここで、予め設定された時間区間は、複数のスロットを含み、複数のスロットは、互いに異なるアドバタイザの任意の広告パケットの送信のために設けられ得る。
予め設定された時間区間は、例えば、アドバタイザがユーザ端末に広告パケットを送信することができる時間区間の広告ウィンドウであってもよい。
【００６６】
アドバタイザは、複数のスロットを用いて広告パケットをランダムに送信してもよい。
ステップＳ３２０において、アドバタイザは、同期化信号によって、広告ウィンドウ内の任意の時点を広告パケットの送信時点に設定する。
ここで、広告ウィンドウ内の任意の時点は、例えば、広告ウィンドウ内に含まれた複数のスロットのうちいずれか１つの任意のスロットであってもよい。
【００６７】
アドバタイザは、概略的な同期に基づいて、広告パケットを送信する（ステップＳ３３０）。
ステップＳ３３０において、アドバタイザは、広告ウィンドウ内に含まれた複数のスロットのうち任意のスロットに広告パケットを送信する。
アドバタイザは、例えば、広告パケットの送信間隔にランダムジッタを加えた時点に広告パケットを送信してもよい。
広告パケットの送信間隔は、アドバタイザごとに異なるように設定されてもよい。
【００６８】
図４は、本発明の他の実施形態に係るアドバタイザの動作方法を説明するためのフローチャートである。
図４を参照すると、本発明の他の実施形態に係るアドバタイザは、近距離通信技術に基づいて低電力で位置情報サービスを提供することができるかを確認するために、シンクロナイザから送信される同期化信号をスキャンする（ステップＳ４１０）。
次に、アドバタイザは、スキャンの結果、同期化信号が検索されたか否かを確認する（ステップＳ４２０）。
【００６９】
ステップＳ４２０の確認の結果、同期化信号が検索されなかった場合、アドバタイザは、一般的な広告動作を行う（ステップＳ４３０）。
一般的な広告動作とは、例えば、同期化を行わずに広告パケットを送信して接続要求パケットを受信することであってもよい。
【００７０】
ステップＳ４２０の確認の結果、同期化信号が検索された場合、アドバタイザは、まず同期化を行い（ステップＳ４４０）、与えられた広告ウィンドウにおいて、ランダム遅延後に広告パケットを送信する（ステップＳ４５０）。
【００７１】
アドバタイザは、ユーザ端末から、アドバタイザとユーザ端末との間の接続を要求する接続要求パケットが受信されたか否かを判断する（ステップＳ４６０）。
ステップＳ４６０の判断の結果、接続要求パケットが受信された場合、アドバタイザは、ユーザ端末と接続してデータを送受信する（ステップＳ４７０）。
データ送受信が完了して、接続が終了すると、アドバタイザは、再び同期化を行う（ステップＳ４４０）。
【００７２】
ステップＳ４６０の判断の結果、接続要求パケットが受信されなかった場合、アドバタイザは、次の広告ウィンドウまで活性化モードからスリープモードに切り替わる（ステップＳ４８０）。
次に、アドバタイザは、例えば所定時間の満了、又は前の同期化後の経過した広告ウィンドウの個数に基づいて、新しく同期化する必要又は要求があるか否かを判断する（ステップＳ４９０）。
【００７３】
ステップＳ４９０の判断の結果、同期化する必要がある場合、アドバタイザは、同期化を行う（ステップＳ４４０に戻る）。
ここで、アドバタイザは、次の広告ウィンドウの開始時点（例えば、連続的な広告ウィンドウの同期化信号）より少し早く解除され、同期化信号を受信して、シンクロナイザとアドバタイザとの間のクロックを再び同期化してもよい。
【００７４】
図５は、本発明の一実施形態に係るユーザ端末の動作方法を説明するためのフローチャートである。
図５を参照すると、本発明の一実施形態に係るユーザ端末は、シンクロナイザから同期化信号を受信する（ステップＳ５１０）。
ユーザ端末は、ステップＳ５１０において受信した同期化信号に基づいて、ユーザ端末が近距離通信技術に基づいた位置情報サービスを提供され得ることを認知する。
【００７５】
ユーザ端末は、ステップＳ５１０において受信した同期化信号によって、予め設定された時間区間の間にチャネルをスキャンする（ステップＳ５２０）。
ここで、予め設定された時間区間は、広告ウィンドウであってもよい。
ユーザ端末は、ユーザ端末にインストールされたアプリケーションの要求事項及び電池残量に基づいてチャネルをスキャンする時間及び周期の内の少なくとも１つを調節することができる。
【００７６】
ユーザ端末は、ステップＳ５２０のスキャン中に検出された広告パケットを受信する（ステップＳ５３０）。
広告パケットは、アドバタイザによって設定された概略的な同期に基づいて送信されたものであってもよい。
ユーザ端末は、広告パケットを受信した後、動作モードを活性化モードからスリープモードに切り替える。
【００７７】
本発明の一実施形態によれば、システムと比較する際、例えば、ユーザ端末は、このような同期化信号及び／又は広告パケットをいつ期待しなければならないか分からない場合もあるため、ユーザ端末は、ユーザ端末にインストールされたアプリケーションの要求事項及び電池残量に基づいて同期化信号及びチャネルをスキャンする時間及び／又は周期などを調節することによってエネルギーの消耗を減らすと同時に、アドバタイザの検索時間、検索成功率もまた、向上させることができる。
【００７８】
図６は、本発明の他の実施形態に係るユーザ端末の動作方法を説明するためのフローチャートである。
図６を参照すると、本発明の一実施形態に係るユーザ端末は、近距離通信技術に基づいて低電力で位置情報サービスを提供することができるかを確認するために、シンクロナイザから送信される同期化信号をスキャンする（ステップＳ６１０）。
【００７９】
アドバタイザは、スキャンの結果、同期化信号が検索されたか否かを確認する（ステップＳ６２０）。
ステップＳ６２０の確認の結果、同期化信号が検索されなかった場合、ユーザ端末は、一般的な検索動作を行い（ステップＳ６３０）、動作を終了する。
一般的な検索動作とは、例えば、同期化を行わずに常時スキャンをしたり、デューティサイクルスキャンをすることであってもよい。
【００８０】
ステップＳ６２０の確認の結果、同期化信号が検索された場合、ユーザ端末は、同期化を行い（ステップＳ６４０）、
例えば、周辺領域又は実現される通信プロトコルのタイプに基づいた範囲にあるアドバタイザによって送信された広告パケットがあるかチャネルをスキャン又は受信待機する（ステップＳ６５０）。
【００８１】
ステップＳ６５０のスキャンの結果、周辺のアドバタイザから広告パケットが受信されれば、ユーザ端末は、広告パケットを送信したアドバタイザとの接続が必要であるかを判断する（ステップＳ６６０）。
ユーザ端末は、例えば、ユーザが広告パケットによって伝えられた割引クーポン、広告文などを選択した場合にアドバタイザとの接続が必要であると判断してもよい。
【００８２】
ステップＳ６６０において接続が必要であると判断される場合、ユーザ端末は、アドバタイザと接続して、データを送受信する（ステップＳ６７０）。
ユーザ端末は、ステップＳ６７０におけるデータ送受信及び接続が終了する場合、再び同期化を行う（ステップＳ６４０に戻る）。
【００８３】
ステップＳ６６０において接続が必要でないと判断される場合、ユーザ端末は、次の広告ウィンドウまでスリープモードに切り替わる（ステップＳ６８０）。
所定時間が経過した場合、前の同期化後に経過した広告ウィンドウの所定個数又は１つ以上の広告パケットが１つ以上の広告パケットの重複スロットから受信されたものと同様にスリープモードの後、同期化する必要があるか又は要求される場合、ユーザ端末は、同期化を行う（ステップＳ６４０に戻る）。
ここで、ユーザ端末もまた、次の広告ウィンドウの開始時点より少し早く解除され、同期化信号を受信してシンクロナイザとユーザ端末との間のクロックを再び同期化してもよい。
【００８４】
図７は、本発明の一実施形態に係る位置情報サービスを提供する方法を説明するための図である。
図７を参照すると、ユーザ端末７０５、シンクロナイザ７１０、及びアドバタイザ（７２１、７２２、７２３、７２４、７４１、７４２、７４３、７４４、７４５、７６１、７６２、７６３、７６４、７６５）を用いてデパートで位置情報サービスが提供される環境７００を示している。
図７では、一例として、近距離通信技術又はプロトコルに基づいて低電力を用いる位置情報サービスを説明する。
【００８５】
シンクロナイザ７１０は、ユーザ端末７０５、アドバタイザ（７２１〜７２４、７４１〜７４５、７６１〜７６５）、及び出入口シンクロナイザ（ｅｎｔｒａｎｃｅ  ｓｙｎｃｈｒｏｎｉｚｅｒ）７７０を同期化するための同期化信号を送信する。
アドバタイザ（７２１〜７２４、７４１〜７４５、７６１〜７６５）は、シンクロナイザ７１０から同期化信号を毎回又は間欠的に受信して概略的な同期を合わせて、自分に設定された広告ウィンドウ内においてランダムに広告パケットを送信する。
【００８６】
ここで、シンクロナイザ７１０から送信される同期化信号には、例えば、当該空間（デパート）において近距離通信技術に基づいて低電力で位置情報サービスを提供することができることを知らせる情報、デパート内で用いられる広告ウィンドウの周期、広告ウィンドウの長さ、及び広告パケットと関連する売り場に関する情報が含まれてもよい。
ここで、図７に示すように、シンクロナイザは、遠距離にあって、ユーザ端末７０５及びアドバタイザ（７２１〜７２４、７４１〜７４５、７６１〜７６５）のそれぞれの外部にあるものと考慮され得る。
【００８７】
シンクロナイザ７１０は、広告パケットに含まれた情報と互いに異なる情報をユーザ端末７０５に提供してもよい。
シンクロナイザ７１０は、広告パケットと関連する情報をユーザ端末７０５に提供することができる。
広告パケットと関連する情報は、例えば、広告パケットによって提供されるセール情報、商品情報、広告パケットを送信した売り場の位置などを含んでもよい。
シンクロナイザ７１０は、広告パケットと関連する情報を同期化信号に含ませて送信してもよく、個別的に送信してもよい。
【００８８】
ユーザ端末７０５を所持しているユーザがデパートの出入口を通過する場合、ユーザ端末７０５は、シンクロナイザ７１０から同期化信号を受信する。
同期化信号は、例えば、ビーコンパケットであってもよい。
【００８９】
ユーザ端末７０５は、例えば、常時スキャン又はデューティサイクルスキャンによって、デパート付近にあるユーザのおよその位置が分かっているユーザ端末７０５に基づいて、シンクロナイザ７１０から同期化信号を受信する。
ユーザ端末７０５は、同期化信号に含まれた情報によって、当該空間において近距離通信技術に基づいて低電力で位置情報サービスが提供され得ることを認知することができる。
ユーザ端末７０５は、例えば、常時スキャン又はデューティサイクルスキャンによる同期化信号の受信後に、動作を活性化モードからスリープモードに切り替える。
【００９０】
ユーザ端末７０５は、同期化信号によって把握した広告ウィンドウに合わせて動作モードをスリープモードから活性化モードに切り替え、活性化モードの間のみ、例えば、広告チャネルなどのチャネルのスキャンを行うことによって、エネルギーの消耗を減らしつつも大きな遅延なく周辺のアドバタイザ（７２１〜７２４、７４１〜７４５、７６１〜７６５）を検索する。
【００９１】
ユーザ端末７０５は、アドバタイザ（７２１〜７２４、７４１〜７４５、７６１〜７６５）のそれぞれとの接続を成立させ、アドバタイザ（７２１〜７２４、７４１〜７４５、７６１〜７６５）から様々な位置情報サービス（例えば、割引情報、クーポン情報など）が提供される。
【００９２】
実施形態に応じて、デパートの出入口に別の出入口シンクロナイザ７７０が設けられてもよい。
出入口シンクロナイザ７７０がインストールされる場合、ユーザ端末７０５を所持しているユーザがデパートの出入口を通過する際に、出入口シンクロナイザ７７０がユーザ端末７０５に同期化信号を送信する。
この場合、ユーザ端末７０５は、出入口シンクロナイザ７７０から送信された同期化信号によって当該空間において近距離通信技術に基づいて低電力で位置情報サービスを提供され得ることを認知することができる。
【００９３】
実施形態に応じて、シンクロナイザ７１０と出入口シンクロナイザ７７０とが別々に機能してもよく、シンクロナイザ７１０が出入口シンクロナイザ７７０の機能をも行ってもよい。
シンクロナイザ７１０及び出入口シンクロナイザ７７０のようにシンクロナイザが複数の場合、複数のシンクロナイザ（７１０，７７０）は、互いに連動して動作することができる。
例えば、シンクロナイザのそれぞれのクロックは同期化されて、ユーザ端末７０５が広告パケット及びいつ追加的な同期化信号が可能になるかを期待させるようにしてもよい。
【００９４】
ユーザ端末７０５は、シンクロナイザ７１０から同期化信号を受信する前までは常時スキャンを行う。
ユーザ端末７０５は、常時スキャンを行って同期化信号に含まれた情報を受信した後に、広告ウィンドウの区間においてのみスキャンを行う。
【００９５】
アドバタイザ（７２１〜７２４、７４１〜７４５、７６１〜７６５）は、複数のスロットを用いて広告パケットをユーザ端末７０５にランダムに送信する。
ここで、アドバタイザ（７２１〜７２４、７４１〜７４５、７６１〜７６５）は、予め設定された基準によってグループ化してもよい。
アドバタイザ（７２１〜７２４、７４１〜７４５、７６１〜７６５）は、広告ウィンドウ内において、予め設定された基準によってグループ化された各売り場のための広告パケットを送信することができる。
【００９６】
例えば、アウトドア用品を販売する売り場、スポーツ用品を販売する売り場、及び化粧品を販売する売り場がデパートの１階に位置すると仮定する。
そこで、アドバタイザ（７２１〜７２４）は、アウトドア用品を販売する売り場のための広告パケットを送信し、アドバタイザ（７４１〜７４５）は、スポーツ用品を販売する売り場のための広告パケットを送信し、アドバタイザ（７６１〜７６５）は、化粧品を販売する売り場のための広告パケットを送信するとする。
【００９７】
ここで、アドバタイザ（７２１〜７２４、７４１〜７４５、７６１〜７６５）は、該当するテーマあるいは販売物品ごとにグループ化することができる。
アウトドア用品を販売する売り場のための広告パケットを送信するアドバタイザ（７２１〜７２４）は、第１グループ７２０としてグループ化する。
スポーツ用品を販売する売り場のための広告パケットを送信するアドバタイザ（７４１〜７４５）は、第２グループ７４０としてグループ化する。
また、化粧品を販売する売り場のための広告パケットを送信するアドバタイザ（７６１〜７６５）は、第３グループ７６０としてグループ化する。
また、広告ウィンドウは、グループ化されたアドバタイザごとに対して指定される。
【００９８】
例えば、符号７９０で示した広告ウィンドウのうち１番目の広告ウィンドウは、第１グループ７２０に含まれたアドバタイザ（７２１〜７２４）に対して指定され、２番目の広告ウィンドウは、第２グループ７４０に含まれたアドバタイザ（７４１〜７４５）に対して指定される。
また、３番目の広告ウィンドウは、第３グループ７６０に含まれたアドバタイザ（７６１〜７６５）に対して指定される。
第１グループ７２０に含まれたアドバタイザ（７２１〜７２４）は、自分たちに指定された１番目の広告ウィンドウ内において、第２グループ７４０に含まれたアドバタイザ（７４１〜７４５）は、自分たちに指定された２番目の広告ウィンドウ内において、第３グループ７６０に含まれたアドバタイザ（７６１〜７６５）は、自分たちに指定された３番目の広告ウィンドウ内において、概略的な同期を合わせて広告パケットを送信する。
【００９９】
図８は、本発明の他の実施形態に係る位置情報サービスを提供する方法を説明するための図である。
図８を参照すると、ユーザ端末８０５、シンクロナイザ８１０、及びアドバタイザ（８２５、８４５、８６５）を用いてデパートで位置情報サービスが提供される環境８００を示す。
図８は、例えば、近距離通信技術又はプロトコルに基づいて低電力を用いる位置情報サービスを説明する。
【０１００】
各売り場ごとに広告パケットを送信するアドバタイザが備わった図７の場合とは異なり、アドバタイザ（８２５、８４５、８６５）は、１つのグループごとに備えられている。
アドバタイザ（８２５、８４５、８６５）は、各テーマ別にグループ化された売り場の広告パケットを送信することができる。
【０１０１】
シンクロナイザ８１０は、ユーザ端末８０５、アドバタイザ（８２５、８４５、８６５）、及び出入口シンクロナイザ８７０を同期化するための同期化信号を送信する。
アドバタイザ（８２５、８４５、８６５）は、シンクロナイザ８１０から同期化信号を間欠的に受信して概略的な同期を合わせたり、又は、シンクロナイザ８１０から送信された全ての広告ウィンドウ又は全ての同期化信号ごとに同期を合わせて、設定された広告ウィンドウ内においてランダムに広告パケットを送信する。
【０１０２】
デパートの出入口に別途の出入口シンクロナイザ８７０が設けられてもよい。
ユーザ端末８０５を所持しているユーザがデパートの出入口を通過する時、出入口シンクロナイザ８７０がユーザ端末８０５に同期化信号を送信することもできる。
【０１０３】
図７と同様に、図８もまた、アウトドア用品を販売する売り場、スポーツ用品を販売する売り場、及び化粧品を販売する売り場が位置すると仮定する。
ここで、各テーマ別にグループ化された売り場の広告パケットが各グループに含まれた１つのアドバタイザによって送信される。
【０１０４】
例えば、符号８９０に示すように、アドバタイザ８２５は、アウトドア用品を販売する売り場のグループ８２０のための広告パケットを１番目の広告ウィンドウ及び４番目の広告ウィンドウに送信する。
アドバタイザ８４５は、スポーツ用品を販売する売り場のグループ８４０のための広告パケットを２番目広告ウィンドウ及び５番目の広告ウィンドウに送信する。
アドバタイザ８６５は、化粧品を販売する売り場のグループ８６０のための広告パケットを３番目の広告ウィンドウ及び６番目の広告ウィンドウに送信する。
【０１０５】
ここで、各広告ウィンドウは、当該グループに含まれたアドバタイザのカバレッジ内に位置する売り場のそれぞれの広告パケットのために備えられた複数のスロットを含むことができる。
例えば、１番目の広告ウィンドウは、アドバタイザ８２５のカバレッジ内に位置するアウトドア用品を販売する４つの売り場のそれぞれの広告パケットのために備えられた４つのスロットを含んでもよい。
また、３番目の広告ウィンドウは、アドバタイザ８６５のカバレッジ内に位置する化粧品を販売する５つの売り場のそれぞれの広告パケットのために備えられた５つのスロットを含んでもよい。
【０１０６】
例えば、ユーザ端末８０５は、シンクロナイザ８１０又は出入口シンクロナイザ８７０から受信した同期化信号に基づいて化粧品を販売する売り場に対応する広告パケットを受信することができる時間区間（例えば、３番目の広告ウィンドウ）を認知する。
ユーザ端末８０５は、予め設定された時間区間（３番目の広告ウィンドウ）内において、アドバタイザ８６５が送信する広告パケットを受信する。
ここで、アドバタイザ８６５は、広告パケットの送信後の一定時間の間、ユーザ端末８０５から送信される接続要求パケットを受信待機してもよい。
【０１０７】
図９は、本発明のさらに他の実施形態に係る位置情報サービスを提供する方法を説明するための図である。
図９を参照すると、ユーザ端末９０５、シンクロナイザ９１０、及びアドバタイザ（９２５、９４１、９４２、９４３、９４４、９４５、９６１、９６２、９６３、９６４、９６５）を用いて位置情報サービスが提供される環境９００を示す。
【０１０８】
図９は、例えば、近距離通信技術又はプロトコルに基づいて低電力を用いる位置情報サービスを説明する。
シンクロナイザ９１０は、ユーザ端末９０５、アドバタイザ（９２５、９４１〜９４５、９６１〜９６５）、及び出入口シンクロナイザ９７０を同期化するための同期化信号を送信する。
アドバタイザ（９２５、９４１〜９４５、９６１〜９６５）のそれぞれは、シンクロナイザ９１０から同期化信号を間欠的に受信したり、又は、シンクロナイザ９１０から送信された全ての同期化信号又は全ての広告ウィンドウごとに受信された同期化信号を受信して、概略的な同期を合わせて広告ウィンドウ内の任意の時点において広告パケットを送信する。
【０１０９】
符号９９０に示すように、アドバタイザ９２５は、グループ化された第１グループ９２０に含まれた売り場のための広告パケットを１番目及び４番目の広告ウィンドウに送信することができる。
ここで、アドバタイザ９２５は、１番目の広告ウィンドウ及び４番目の広告ウィンドウ内においてランダムに第１グループ９２０に含まれた４つのアウトドア用品の売り場のための広告パケットを送信することができる。
【０１１０】
アドバタイザ（９４１〜９４５）は、第２グループ９４０に含まれた５つの売り場に対応して、各売り場に対応する広告パケットを送信する。
アドバタイザ（９４１〜９４５）は、第２グループ９４０に含まれた５つの売り場のための広告パケットを２番目及び５番目の広告ウィンドウに送信する。
【０１１１】
また、アドバタイザ（９６１〜９６５）は、第３グループ９６０に含まれた５つの売り場のそれぞれに対応して、各売り場に対応する広告パケットを送信する。
アドバタイザ（９６１〜９６５）は、第３グループ９６０に含まれた５つの売り場のための広告パケットを３番目及び６番目の広告ウィンドウに送信することができる。
【０１１２】
図１０は、本発明の一実施形態に係るシンクロナイザ及びアドバタイザが例えば近距離通信技術に基づいてユーザ端末に提供する情報を説明するための図である。
図１０を参照すると、シンクロナイザ１０１０及びアドバタイザ（１０２０、１０３０、１０４０）を示す。
【０１１３】
例えば、シンクロナイザ１０１０がデパートに位置する場合、シンクロナイザ１０１０は、当該デパートに関する情報と共にデパートに入店している売り場に関する情報をユーザ端末に提供する。
この他にも、シンクロナイザ１０１０は、アドバタイザ（１０２０、１０３０、１０４０）がユーザ端末に送信する広告パケットと関連する情報をユーザ端末に提供してもよい。
シンクロナイザ１０１０は、上述した情報を同期化信号に含ませてユーザ端末に送信してもよく、同期化信号とは別途にユーザ端末に送信してもよい。
【０１１４】
アドバタイザ（１０２０、１０３０、１０４０）は、各売り場と関連する情報を各アドバタイザのカバレッジ内に移動したユーザ端末に提供する。
例えば、アドバタイザ１０２０は、アイスクリーム売り場（売り場１）に対する広告パケットを、アドバタイザ１０３０は、靴売り場（売り場２）に対する広告パケットを、アドバタイザ１０４０は、カバン売り場（売り場３）に対する広告パケットを送信してもよい。
【０１１５】
アドバタイザ１０２０は、広告パケットによってアイスクリーム売り場で進行中であったり進行予定のセール情報、アイスクリーム売り場で販売中の商品情報をユーザに提供する。
また、アドバタイザ１０２０は、セール情報及び商品情報と共に特定の顧客に関する情報をユーザ端末に提供することもできる。
例えば、アイスクリーム売り場で得意客として登録された顧客Ａがアドバタイザ１０２０のカバレッジ内に移動した場合、アドバタイザ１０２０は「Ａ様、４回目のご送訪問、ありがとうございます。本日は、Ａ様のための２０％割引クーポンがございます。」等のように顧客情報と結合したセール情報を顧客Ａのユーザ端末に提供することができる。
【０１１６】
ユーザがいかなる提案を受諾することを所望したり、又は、追加情報を所望する場合、本発明の一実施形態におけるユーザのユーザ端末は、ユーザインターフェースと相互作用し、これを示す。
これは、ユーザ端末からの選択的情報をアドバタイザ１０２０と共有するようにするだけでなく、ユーザ端末からアドバタイザ１０２０に送信された接続要求及び付加情報、又はユーザ端末に送信される追加セール、又は宣伝製品のために、アドバタイザ１０２０と成立する接続を初期化する。
【０１１７】
図１１は、本発明の一実施形態に係るアドバタイザの概略構成を示すブロック図である。
図１１を参照すると、本発明の一実施形態に係るアドバタイザ１１００は、受信部１１１０、プロセッサ１１３０、及び送信部１１５０を含む。
【０１１８】
受信部１１１０は、シンクロナイザから同期化信号を受信する。
受信部１１１０は、毎回又は間欠的に同期化信号を受信することができる。
受信部１１１０は、アンテナを含んでもよく、例えば、シンクロナイザから同期化信号を受信し、成立した接続の間、ユーザ端末と情報を共有するなどのように信号を受信してもよい。
【０１１９】
プロセッサ１１３０は、同期化信号によって、予め設定された時間区間内において広告パケットの送信のための概略的な同期を合わせる。
予め設定された時間区間は、複数のスロットを含み、複数のスロットは、互いに異なるアドバタイザのために設けられてもよい。
プロセッサ１１３０は、同期化信号によって、広告ウィンドウ内の任意の時点を広告パケットの送信時点に設定することができる。
【０１２０】
プロセッサ１１３０は、予め設定された広告パケットの送信間隔、例えば、広告ウィンドウ間の既知の間隔、又は互いに異なるアドバタイザ、又はグループに対する広告ウィンドウ間の既知の互いに異なる間隔時間に基づいて、予め設定された時間区間の次の時間区間を予測してもよい。
プロセッサ１１３０は、次の広告パケットの送信時点が次の時間区間を逸脱しないように調節し得る。
【０１２１】
プロセッサ１１３０は、調節された次の時間区間において広告パケットを送信した後、スリープモードに移行させ得る。
プロセッサ１１３０は、ユーザ端末が送信された広告パケットの受信に応答してアドバタイザ１１００の接続要求を送信する場合、広告パケットの送信後の所定時間後にスリープモードに移行させ得る。
【０１２２】
送信部１１５０は、概略的な同期に基づいて、広告パケットを送信する。
送信部１１５０は、広告パケットの送信間隔にランダムジッタを加えた時点に広告パケットを送信することができる。
広告パケットの送信間隔は、アドバタイザごとに異なるように設定してもよい。
送信部１１５０は、アンテナを含んだり、又は、受信部１１１０のアンテナを共有してもよい。
送信部１１５０は、広告ウィンドウ内に含まれた複数のスロットのうち任意のスロットに広告パケットを送信してもよい。
【０１２３】
図１２は、本発明の一実施形態に係るユーザ端末の概略構成を示すブロック図である。
図１２を参照すると、本発明の一実施形態に係るユーザ端末１２００は、プロセッサ１２１０及び受信部１２３０を含む。
【０１２４】
プロセッサ１２１０は、シンクロナイザから受信された同期化信号によって予め設定された時間区間の間にチャネルをスキャンする。
【０１２５】
受信部１２３０は、アンテナを含んでもよく、シンクロナイザから同期化信号を受信し、アドバタイザから広告パケットを受信し、アドバタイザとユーザ端末１２００との間に接続が成立する間、アドバタイザから付加情報を受信するように、信号を受信する。
【０１２６】
プロセッサ１２１０は、ユーザ端末１２００の電池残量及びユーザ端末１２００で駆動及び／又はインストールされたアプリケーションの要求事項を決定する。
プロセッサ１２１０は、ユーザ端末にインストールされたアプリケーションの要求事項及び決定された電池残量に基づいて同期化信号をスキャンする時間及び周期、チャネルをスキャンする時間及び周期などを調節し得る。
【０１２７】
受信部１２３０は、同期化信号及びスキャン中に検出された広告パケットを受信する。
ここで、広告パケットは、アドバタイザによって設定された概略的な同期に基づいて送信されたものであってもよい。
ユーザ端末１２００も同様に、例えば、アドバタイザと通信する送信部を含んでもよい。
【０１２８】
図１〜図１０によって前述で説明した事項は、図１１のアドバタイザ及び図１２のユーザ端末にそのまま適用され得るため、より詳細な説明は省略する。
【０１２９】
以上で説明した装置は、ハードウェア構成要素、ソフトウェア構成要素、及び／又はハードウェア構成要素及びソフトウェア構成要素の組み合わせで実現し得る。
例えば、実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、又は、命令（ｉｎｓｔｒｕｃｔｉｏｎ）を実行して応答できる異なる装置のように、１つ以上の汎用コンピュータ又は特殊目的コンピュータを用いて実現してもよい。
【０１３０】
処理装置は、オペレーティングシステム（ＯＳ）及びオペレーティングシステム上で行われる１つ以上のソフトウェアアプリケーションを実行し得る。
また、処理装置は、ソフトウェアの実行に応答してデータをアクセス、格納、操作、処理及び生成してもよい。
理解の便宜のために、処理装置は１つのものとして使用されるものと説明される場合もあるが、当該の技術分野で通常の知識を有する者は、処理装置が複数の処理要素（ｐｒｏｃｅｓｓｉｎｇ  ｅｌｅｍｅｎｔ）及び／又は複数類型の処理要素を含んでいることが分かる。
例えば、処理装置は、複数のプロセッサ又は１つのプロセッサ及び１つのコントローラを含んでもよい。
また、並列プロセッサ（ｐａｒａｌｌｅｌ  ｐｒｏｃｅｓｓｏｒ）のような、他の処理構成も可能である。
【０１３１】
ソフトウェアは、コンピュータプログラム、コード、命令、又は、これらのうちの１つ以上の組み合わせを含んでもよく、所望通りに動作するように処理装置を構成したり独立的又は結合的に処理装置を命令してもよい。
ソフトウェア及び／又はデータは、処理装置によって解釈されたり処理装置に命令又はデータを提供するためどのような類型の機械、構成要素、物理的装置、仮想装置、コンピュータ格納媒体又は装置、又は送信される信号波に永久的に又は一時的に具体化できる。
ソフトウェアは、ネットワークに接続されたコンピュータシステム上に分散し、分散された方法で格納されたり実行されてもよい。
ソフトウェア及びデータは、１つ以上のコンピュータ読取可能な記録媒体に格納されてもよい。
【０１３２】
本発明の実施形態に係る位置情報サービス提供方法は、多様なコンピュータ手段を介して実施することができるプログラム命令の形態で実現され、コンピュータで読取可能な媒体に記録してもよい。
記録媒体は、プログラム命令、データファイル、データ構造などを単独で又は組み合わせて含んでもよい。
記録媒体及びプログラム命令は、本発明の目的のために特別に設計して構成されたものでもよく、コンピュータソフトウェア分野の技術を有する当業者にとって公知のものであり、使用可能なものであってもよい。
【０１３３】
コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれ得る。
プログラム命令の例には、コンパイラによって作られるような機械語コードだけでなく、インタプリタなどを用いてコンピュータによって実行できる高級言語コードが含まれる。
上述のハードウェア装置は、本発明の動作を行うために１つ以上のソフトウェアモジュールとして動作するように構成されてもよく、その逆も同様である。
【０１３４】
尚、本発明は、上述の実施形態に限られるものではない。本発明の技術的範囲から逸脱しない範囲内で多様に変更実施することが可能である。
【符号の説明】
【０１３５】
１１０、２０１    シンクロナイザ
１３０、２０３、１１００    アドバタイザ
１５０、２０５、１２００    ユーザ端末
２１０〜２５０    広告ウィンドウ
１１１０    受信部
１１３０    プロセッサ
１１５０    送信部
１２１０    プロセッサ
１２３０    受信部
【図１】
0006689628.tif 000002
【図２】
0006689628.tif 000003
【図３】
0006689628.tif 000004
【図４】
0006689628.tif 000005
【図５】
0006689628.tif 000006
【図６】
0006689628.tif 000007
【図７】
0006689628.tif 000008
【図８】
0006689628.tif 000009
【図９】
0006689628.tif 000010
【図１０】
0006689628.tif 000011
【図１１】
0006689628.tif 000012
【図１２】
0006689628.tif 000013